(57)【特許請求の範囲】
【請求項１】
複数種類の飲料を供給する飲料供給装置であって、
前記複数種類の飲料を吐出する複数のノズルと、
前記複数種類の飲料の選択肢を前記ノズルの位置に対応しない位置に表示するとともに、前記複数種類の飲料のうちの１つの飲料の選択操作を受け付けるタッチパネルと、
前記複数のノズルのそれぞれの位置に対応して設けられ、前記選択操作により選択された飲料の吐出を指示する指示操作を受け付ける複数の物理ボタンと、
前記複数の物理ボタンのうち、前記選択操作により選択された飲料が吐出されるノズルに対応する物理ボタンを特定し、特定された物理ボタンを報知するよう前記タッチパネルを制御する制御部と、
を備える、
飲料供給装置。
【請求項２】
複数種類の飲料を供給する飲料供給装置であって、
前記複数種類の飲料を吐出する複数のノズルと、
前記複数種類の飲料の選択肢を前記ノズルの位置に対応しない位置に表示するとともに、前記複数種類の飲料のうちの１つの飲料の選択操作を受け付けるタッチパネルと、
前記複数のノズルのそれぞれの位置に対応して設けられ、前記選択操作により選択された飲料の吐出を指示する指示操作を受け付ける複数の物理ボタンと、
前記複数の物理ボタンのうち、前記選択操作により選択された飲料が吐出されるノズルに対応する物理ボタンを特定し、特定された物理ボタンを報知するよう当該特定された物理ボタンを制御する制御部と、
を備える、
飲料供給装置。
【請求項３】
前記制御部は、
前記特定された物理ボタンが前記指示操作を受け付けている間、前記特定された物理ボタンに対応するノズルから前記選択操作により選択された飲料を吐出させる、
請求項１または２記載の飲料供給装置。
【請求項４】
前記制御部は、
前記選択操作により選択された飲料の吐出終了後から一定時間、前記選択操作により選択された飲料の情報を保持するとともに、前記特定された物理ボタンの報知を継続し、前記特定された物理ボタンが前記指示操作を再度受け付けた場合に、保持していた前記情報に基づいて、前記特定された物理ボタンに対応するノズルから前記選択操作により選択された飲料を吐出させる、
請求項３に記載の飲料供給装置。
【発明の詳細な説明】
【技術分野】
【０００１】
本発明は、飲料を供給する飲料供給装置に関する。
【背景技術】
【０００２】
従来、シロップと希釈水とを混合して飲料を製造し、製造した飲料を供給する飲料供給装置が知られている。このような飲料供給装置は、通常、複数の種類の飲料を製造し、供給することができる。
【０００３】
具体的には、飲料供給装置は、製造する飲料の選択操作を受け付ける物理ボタンを備え、その物理ボタンが押下された場合に、複数のシロップタンクにそれぞれ蓄えられた異なる種類のシロップの中から、その飲料を製造するために必要なシロップを吐出する。それと同時に、飲料供給装置は希釈水を吐出し、シロップと希釈水とを混合させて飲料を製造する。
【０００４】
さらに近年では、タッチパネルに飲料の選択肢を複数表示し、利用者によりタッチパネル上で選択された飲料を製造してノズルから吐出する飲料供給装置も提案され（例えば、特許文献１、２を参照）、このようなタッチパネルを備えた飲料供給装置の製品開発も現実になされている。
【先行技術文献】
【特許文献】
【０００５】
【特許文献１】特表２０１２−５１０８８６号公報
【特許文献２】国際公開第２０１４／０３４８２６号
【発明の概要】
【発明が解決しようとする課題】
【０００６】
特許文献１、２に開示されている飲料供給装置では、製造された飲料を吐出するノズルの数は１つだけであり、利用者は飲料が吐出されるノズルを容易に認識できる。しかし、ノズルが複数あって、飲料の種類に応じて飲料を吐出するノズルが異なる場合、タッチパネルで選択した飲料がどのノズルから吐出されるのかを利用者が把握しにくいという問題がある。
【０００７】
また、タッチパネルで飲料の選択肢を表示する場合、さまざまな視覚効果を取り入れることができる。この場合、タッチパネルで選択した飲料とその飲料が吐出されるノズルとの対応関係が利用者にとってさらに把握しにくくなる可能性がある。しかし、このような問題を解決することができれば、タッチパネルでの表示の自由度が高くなり、より宣伝効果の高い表示を行うことも可能となる。
【０００８】
このようなことから、タッチパネルに表示される飲料の選択画面がどのようなものであっても、飲料が吐出されるノズルを利用者に容易に把握させることができる技術の開発が強く望まれている。
【０００９】
本発明の目的は、タッチパネルに表示される飲料の選択画面がどのようなものであっても、飲料が吐出されるノズルを利用者に容易に把握させることができる飲料供給装置を提供することである。
【課題を解決するための手段】
【００１０】
本発明の飲料供給装置は、複数種類の飲料を供給する飲料供給装置であって、複数種類の飲料を吐出する複数のノズルと、複数種類の飲料の選択肢を前記ノズルの位置に対応しない位置に表示するとともに、複数種類の飲料のうちの１つの飲料の選択操作を受け付けるタッチパネルと、複数のノズルのそれぞれの位置に対応して設けられ、選択操作により選択された飲料の吐出を指示する指示操作を受け付ける複数の物理ボタンと、複数の物理ボタンのうち、選択操作により選択された飲料が吐出されるノズルに対応する物理ボタンを特定し、特定された物理ボタンを報知するようタッチパネルを制御する制御部と、を備える。
【００１１】
また、本発明の飲料供給装置は、複数種類の飲料を供給する飲料供給装置であって、複数種類の飲料を吐出する複数のノズルと、複数種類の飲料の選択肢を前記ノズルの位置に対応しない位置に表示するとともに、複数種類の飲料のうちの１つの飲料の選択操作を受け付けるタッチパネルと、複数のノズルのそれぞれの位置に対応して設けられ、選択操作により選択された飲料の吐出を指示する指示操作を受け付ける複数の物理ボタンと、複数の物理ボタンのうち、選択操作により選択された飲料が吐出されるノズルに対応する物理ボタンを特定し、特定された物理ボタンを報知するよう当該特定された物理ボタンを制御する制御部と、を備える。
【発明の効果】
【００１２】
本発明によれば、タッチパネルに表示される飲料の選択画面がどのようなものであっても、飲料が吐出されるノズルを利用者に容易に把握させることができる。
【図面の簡単な説明】
【００１３】
【図１】本発明の実施の形態の飲料供給装置の正面図
【図２】本発明の実施の形態の飲料供給装置の前面扉を開いたときの内部を示す正面図
【図３】本発明の実施の形態の飲料供給装置の外部構成を示す図
【図４】本発明の実施の形態の飲料供給装置の機能ブロック図
【図５】本発明の実施の形態の飲料供給装置の制御に用いられるテーブルを示す図
【図６】本発明の実施の形態の飲料供給装置の制御例１を示すフローチャート
【図７】本発明の実施の形態の飲料供給装置のホーム画面の表示例を示す図
【図８】本発明の実施の形態の飲料供給装置の制御例１に係る押下指示画面の表示例を示す図
【図９】本発明の実施の形態の飲料供給装置の制御例１に係る吐出中画面の表示例を示す図
【図１０】本発明の実施の形態に係る飲料供給装置の制御例２を示すフローチャート
【図１１】本発明の実施の形態の飲料供給装置の制御例２に係るブランド選択画面の表示例を示す図
【図１２】本発明の実施の形態の飲料供給装置の制御例２に係る飲料選択画面の表示例を示す図
【図１３】本発明の実施の形態の飲料供給装置の制御例２に係る押下指示画面の表示例を示す図
【図１４】本発明の実施の形態の飲料供給装置の制御例２に係る栄養成分表の表示例を示す図
【図１５】本発明の実施の形態の飲料供給装置の制御例２に係る吐出中画面の表示例を示す図
【図１６】本発明の実施の形態の飲料供給装置の制御例２に係る押下指示画面の表示例を示す図
【図１７】本発明の実施の形態の飲料供給装置の制御例２に係る押下指示画面の表示例を示す図
【図１８】本発明の実施の形態の飲料供給装置の制御例３を示すフローチャート
【図１９】本発明の実施の形態の飲料供給装置の制御例３に係るフルーツ風味選択画面の表示例を示す図
【図２０】本発明の実施の形態の飲料供給装置の制御例３に係る飲料選択画面の表示例を示す図
【図２１】本発明の実施の形態の飲料供給装置の制御例４を示すフローチャート
【図２２】本発明の実施の形態の飲料供給装置の制御例４に係る飲料選択画面の表示例を示す図
【発明を実施するための形態】
【００１４】
以下、本発明の実施の形態について、図面を参照して説明する。
【００１５】
まず、図１〜図３を用いて、本発明の実施の形態に係る飲料供給装置１００の構成の一例について説明する。図１は、本発明の実施の形態に係る飲料供給装置１００の正面図である。図２は、本発明の実施の形態に係る飲料供給装置１００の前面扉を開いたときの内部を示す正面図である。図３は、本発明の実施の形態に係る飲料供給装置の外部構成を示す図である。
【００１６】
図１に示すように、飲料供給装置１００は、開閉可能な前面扉１にタッチパネル２を備える。タッチパネル２は、飲料供給装置１００の利用者に対して飲料の選択肢を表示するとともに、利用者による飲料の選択操作を受け付ける操作受付部である。
【００１７】
具体的には、タッチパネル２は、炭酸水により希釈されて主飲料を構成するメインシロップの選択肢、および、主飲料にフレーバとして添加されるトッピングシロップの選択肢を表示し、メインシロップ、および、トッピングシロップを選択する操作を利用者から受け付ける処理などを行う。タッチパネル２の表示例の詳細については後述する。
【００１８】
また、図１に示すように、タッチパネル２の下方には、物理ボタン３ａ〜３ｃが備えられている。物理ボタン３ａ〜３ｃは、利用者から飲料の吐出を指示する操作を受け付ける。また、物理ボタン３ａ〜３ｃの下方には、それぞれ、利用者が容器（グラス、カップ等）を載置する容器置き場４ａ〜４ｃが備えられている。
【００１９】
物理ボタン３ａは、容器置き場４ａに対応しており、かつ、図２に示す希釈水ノズル５ａおよびシロップノズル５０に対応している。また、物理ボタン３ｂは、容器置き場４ｂに対応しており、かつ、図２に示すノズル５ｂに対応している。また、物理ボタン３ｃは容器置き場４ｃに対応しており、かつ、図２に示す希釈水ノズル５ｃ、シロップノズル５１、および炭酸水ノズル５２に対応している。
【００２０】
利用者は、タッチパネル２において飲料の選択操作を行った後、容器置き場４ａ〜４ｃのいずれかに容器を置き、物理ボタン３ａ〜３ｃのいずれかを押下する。
【００２１】
例えば、物理ボタン３ａが押下された場合、図２に示すバックインボックス（以下、ＢＩＢという）６内のシロップがＢＩＢ用チューブポンプ２６を介してシロップノズル５０から吐出され、吐出流となる。このシロップの吐出流は、希釈水ノズル５ａから吐出される希釈水の吐出流と衝突して混合される。これにより、飲料が製造される。このようにして製造された飲料は、容器置き場４ａに置かれた容器に供給される。
【００２２】
また、例えば、物理ボタン３ｂが押下された場合、ノズル５ｂにおいて、シロップと、希釈水および／または炭酸水とが混合され、飲料が製造される。このようにして製造された飲料は、ノズル５ｂから吐出され、容器置き場４ｂに置かれた容器に供給される。
【００２３】
また、例えば、物理ボタン３ｃが押下された場合、図２に示すＢＩＢ７内のシロップがＢＩＢ用チューブポンプ２７を介してシロップノズル５１から吐出され、吐出流となる。このシロップの吐出流は、希釈水ノズル５ｃから吐出される希釈水の吐出流および／または炭酸水ノズル５２から吐出される炭酸水の吐出流と衝突して混合される。これにより、飲料が製造される。このようにして製造された飲料は、容器置き場４ｃに置かれた容器に供給される。
【００２４】
なお、上述した各飲料は、物理ボタン３ａ〜３ｃが押下されている間、容器に供給される。
【００２５】
また、上述した炭酸水ノズル５２は、ＢＩＢ６側に備えられてもよく、ＢＩＢ６側およびＢＩＢ７側の両方に備えられてもよい。
【００２６】
また、上述したＢＩＢ６、７は、冷蔵エリアに備えられる。このＢＩＢ６、７には、冷蔵保存が必要なシロップが蓄えられる。また、冷蔵保存の必要のないシロップは、後に図３を用いて説明するシロップタンク１０に格納される。
【００２７】
ここで、本実施の形態でいうシロップとは、糖分を含む濃縮液だけでなく、糖分を含まない濃縮液（例えば、緑茶、紅茶などの原液）も含むものとする。
【００２８】
また、上述したノズル５ｂは、水または炭酸水と、メインシロップとを所定の割合で混合して主飲料を製造するとともに、希釈しない状態のトッピングシロップを主飲料に混合して飲料（以下、フレーバ添加飲料という）を製造する混合部である。ノズル５ｂで製造されたフレーバ添加飲料は、容器置き場４ｂに載置された容器にノズル５ｂから吐出される。
【００２９】
このように、メインシロップとトッピングシロップとの２種類を混同することにより、利用者に提供する飲料の味の選択肢を大幅に増やすことができる。トッピングシロップとしては、メインシロップと同様のシロップ、すなわち希釈率が１：３から１：１０の一般のシロップが用いられる。一般のシロップとは、トッピング専用のシロップ（希釈率が１：１２０から１：１８０）ではなく、単独で希釈してもそのまま利用者が飲むことができるシロップのことである。
【００３０】
ここで、メインシロップおよびトッピングシロップは、次に説明する図３に示されたシロップタンク１０に格納されている。なお、ノズル５ｂは、上記フレーバ添加飲料を吐出する以外にも、水のみ、または、炭酸水のみの吐出も行う。
【００３１】
また、図３に示すように、飲料供給装置１００には、浄化フィルタ８、炭酸ガスボンベ９、複数のシロップタンク１０が備えられる。
【００３２】
浄化フィルタ８は、ブレードチューブ１１から供給される水道水を浄化し、浄化した水を、ブレードチューブ１２を介して飲料供給装置１００内部に供給する。ブレードチューブ１２は、例えば、飲料供給装置１００の内部に設けられたカーボネータ（図示略）、希釈水ノズル５ａ、５ｃ、ノズル５ｂに接続される。
【００３３】
炭酸ガスボンベ９は、炭酸ガスを蓄えている。この炭酸ガスは、ガスレギュレータ１３に設定された所定の圧力（例えば、０．６ＭＰａ）で、ブレードチューブ１４を介してカーボネータに供給される。また、この炭酸ガスは、ガスレギュレータ１３に設定された所定の圧力（例えば、０．２ＭＰａ）で、ブレードチューブ１５を介して各シロップタンク１０に供給される。
【００３４】
複数のシロップタンク１０は、それぞれ異なるシロップを蓄えている。これらのシロップは、上述したとおり、メインシロップまたはトッピングシロップとして用いられるものである。これらのシロップは、炭酸ガスボンベ９から供給されるガスの圧力により押し出され、ブレードチューブ１６を介してノズル５ｂに供給される。
【００３５】
次に、図４を用いて、本発明の実施の形態に係る飲料供給装置１００の制御部２０とその周辺の構成について説明する。図４は、本発明の実施の形態に係る飲料供給装置１００の機能ブロック図である。
【００３６】
飲料供給装置１００は、図１で説明したタッチパネル２、物理ボタン３ａ〜３ｃに加えて、制御部２０、記憶部２１、水電磁弁２３、炭酸水電磁弁２４、シロップ電磁弁２５、ＢＩＢチューブポンプ２６、２７を備える。
【００３７】
制御部２０は、ＣＰＵ（Central Processing Unit）などの制御デバイスである。制御部２０は、飲料供給装置１００に備えられた各機能部を制御する。記憶部２１は、ＲＯＭ（Read Only Memory）やＲＡＭ（Random Access Memory）などのメモリデバイスである。記憶部２１は、後に説明するテーブル２２などを記憶する。
【００３８】
制御部２０は、記憶部２１から読み出したデータに基づいて、タッチパネル２の制御、および、飲料の供給の制御を行う。タッチパネル２の制御については、図６〜図２２を用いて後に詳細に説明する。ここではまず、飲料の供給制御について説明する。
【００３９】
制御部２０は、タッチパネル２において利用者により飲料を選択する操作が行われると、選択された飲料に関するデータを記憶部２１から読み出し、読み出したデータに基づいて飲料を製造する。このデータは、例えば、水、炭酸水、メインシロップ、および、トッピングシロップの希釈比率のデータ、および、その希釈比率に応じて各電磁弁（水電磁弁２３、炭酸水電磁弁２４、シロップ電磁弁２５）の開閉を制御するための設定データ、ＢＩＢ用チューブポンプ２６、２７の駆動を制御するための設定データなどである。
【００４０】
なお、以下では、各電磁弁の開閉により水、炭酸水、メインシロップ、および、トッピングシロップの供給制御を行う場合について説明するが、ポンプ等による供給制御が行われてもよい。
【００４１】
また、制御部２０は、タッチパネル２において利用者により飲料を選択する操作が行われた場合、テーブル２２を記憶部２１から読み出す。テーブル２２は、利用者により選択された飲料に対応する物理ボタン３ａ〜３ｃを示す情報である。
【００４２】
このテーブル２２の一例を図５に示す。図５に示すように、このテーブル２２には、飲料のブランドに対応付けて、そのブランドの飲料を吐出するノズルに対応する物理ボタン３ａ〜３ｃの情報が登録されている。なお、図５では、ブランドをアルファベットで示している。
【００４３】
例えば、このテーブル２２では、ブランドＤと物理ボタン３ａとが対応付けられている。よって、利用者によりブランドＤの飲料が選択され、物理ボタン３ａが押下された場合、上述したように製造されたブランドＤの飲料が、物理ボタン３ａに対応する容器置き場４ａに置かれた容器に供給されることになる。
【００４４】
また、テーブル２２では、ブランドＧと物理ボタン３ｃとが対応付けられている。よって、利用者によりブランドＧの飲料が選択され、物理ボタン３ｃが押下された場合、上述したように製造されたブランドＧの飲料が、物理ボタン３ｃに対応する容器置き場４ｃに置かれた容器に供給されることになる。
【００４５】
さらに、テーブル２２では、ブランドＡ〜Ｃ、Ｅ、Ｆ、Ｈ〜Ｊ、水、炭酸水と物理ボタン３ｂとが対応付けられている。よって、利用者によりブランドＡ〜Ｃ、Ｅ、Ｆ、Ｈ〜Ｊ、水、炭酸水のいずれかの飲料が選択され、物理ボタン３ｂが押下された場合、上述したように製造された飲料（例えば、フレーバ添加飲料、水、炭酸水）が、物理ボタン３ｂに対応する容器置き場４ｂに置かれた容器に供給されることになる。なお、水、炭酸水はブランドではないが、本実施の形態では便宜上、水、炭酸水をブランドの一種として扱う。
【００４６】
また制御部２０は、物理ボタン３ａ〜３ｃのいずれかが押下されたことを検知した場合、電磁弁２３〜２５の開閉、ＢＩＢ用チューブポンプ２６、２７の駆動の少なくとも１つを制御して、水、炭酸水、メインシロップ、または、トッピングシロップを、押下された物理ボタン３ａ〜３ｃに対応するノズル（希釈水ノズル５ａ、５ｃ、ノズル５ｂ、シロップノズル５０、５１）に供給する。
【００４７】
例えば、利用者によりブランドＡ〜Ｃ、Ｅ、Ｆ、Ｈ〜Ｊのいずれかの飲料が選択され、物理ボタン３ｂが押下された場合、制御部２０は、選択されたブランドのシロップ（メインシロップ）を蓄えているシロップタンク１０とノズル５ｂとの間に設けられたシロップ電磁弁２５を開状態にさせるとともに、水電磁弁２３および／または炭酸水電磁弁２４を開状態にさせる。なお、制御部２０は、水電磁弁２３および炭酸水電磁弁２４を開状態にさせる場合、水電磁弁２３と炭酸水電磁弁２４とを交互に開状態にさせるが、それらを同時に開状態にさせてもよい。
【００４８】
これにより、シロップと、水および／または炭酸水とがノズル５ｂにおいて混合され、その結果得られた飲料が、ノズル５ｂから吐出される。
【００４９】
なお、利用者によりフレーバ添加飲料が選択された場合、制御部２０は、メインシロップを蓄えているシロップタンク１０とノズル５ｂとの間に設けられたシロップ電磁弁２５に加え、利用者により選択されたフレーバ（例えば、オレンジ、グレープなどのフルーツ風味）のトッピングシロップを蓄えているシロップタンク１０とノズル５ｂとの間に設けられたシロップ電磁弁２５を開状態にさせる。
【００５０】
これにより、メインシロップに加え、トッピングシロップもノズル５ｂに供給することができ、これらと水および／または炭酸水とを混合することにより、フレーバ添加飲料を製造することができる。
【００５１】
また、利用者により水が選択され、物理ボタン３ｂが押下された場合、制御部２０は、浄化フィルタ８とノズル５ｂとの間に設けられた水電磁弁２３を開状態にさせる。これにより、ノズル５ｂから水が吐出される。
【００５２】
さらに、利用者により炭酸水が選択され、ノズル５ｂに対応する物理ボタン３ｂが押下された場合、制御部２０は、カーボネータとノズル５ｂとの間に設けられた炭酸水電磁弁２４を開状態にさせる。これにより、ノズル５ｂから炭酸水が吐出される。
【００５３】
同様に、利用者によりブランドＤの飲料が選択され、物理ボタン３ａが押下された場合、制御部２０は、選択されたブランドＤのシロップを蓄えているＢＩＢ６とシロップノズル５０との間に設けられたＢＩＢ用チューブポンプ２６を所定の条件で駆動させる。これとともに、制御部２０は、水電磁弁２３を開状態にさせ、希釈水ノズル５ａから希釈水を吐出させる。
【００５４】
これにより、ブランドＤのシロップと希釈水とが混合された飲料が、容器置き場４ａに置かれた容器に供給される。
【００５５】
また、利用者によりブランドＧの飲料が選択され、物理ボタン３ｃが押下された場合、制御部２０は、選択されたブランドＧのシロップを蓄えているＢＩＢ７とシロップノズル５１との間に設けられたＢＩＢ用チューブポンプ２７を所定の条件で駆動させる。これとともに、制御部２０は、水電磁弁２３および／または炭酸水電磁弁２４を開状態にさせ、希釈水および／または炭酸水を希釈水ノズル５ｃおよび／または炭酸水ノズル５２から吐出させる。
【００５６】
これにより、ブランドＧのシロップと水および／または炭酸水とが混合された飲料が、容器置き場４ｃに置かれた容器に供給される。
【００５７】
以上、制御部２０により実行される飲料の供給制御の一例について説明した。
【００５８】
次に、図６〜図２２を用いて、制御部２０により実行されるタッチパネル２の画面表示の制御例について説明する。
【００５９】
（制御例１）
まず、図６〜図９を用いて、水または炭酸水が選択される場合の制御例について説明する。図６は、本制御例を示すフローチャートである。図７〜図９は、タッチパネル２の画面表示例を示す図である。
【００６０】
まず、制御部２０は、記憶部２１に記憶されたホーム画面の画像データを読み出し、そのホーム画面をタッチパネル２に表示させる（ステップＳ１）。
【００６１】
ホーム画面の表示例を図７に示す。図７に示すように、ホーム画面には、カテゴリ選択ボタン３０ａ〜３０ｄ、ヘルプボタン３１、水ボタン３２、炭酸水ボタン３３が表示される。
【００６２】
カテゴリ選択ボタン３０ａ〜３０ｄは、利用者が飲料のカテゴリを選択する際に利用者によるタッチ操作（以下、押下という）を受け付けるボタンである。
【００６３】
カテゴリ選択ボタン３０ａが押下される場合については、制御例２で説明する。また、カテゴリ選択ボタン３０ｂが押下される場合については、制御例３で説明する。また、カテゴリ選択ボタン３０ｃまたは３０ｄが押下される場合については、制御例４で説明する。
【００６４】
ヘルプボタン３１は、利用者が飲料供給装置１００の操作方法（例えば、現在表示中の画面における操作方法）を知りたいときに押下するボタンである。このヘルプボタン３１が押下された場合、制御部２０は、記憶部２１に記憶された操作方法のデータを読み出し、そのデータをタッチパネル２に表示させる。
【００６５】
水ボタン３２は、利用者が飲料として水を選択する際に押下するボタンである。炭酸水ボタン３３は、利用者が飲料として炭酸水を選択する際に押下するボタンである。
【００６６】
ここで、水ボタン３２または炭酸水ボタン３３が利用者によって押下されたことにより、制御部２０が、水または炭酸水を選択する操作を受け付けたとする（ステップＳ２）。
【００６７】
この場合、制御部２０は、記憶部２１から読み出したテーブル２２に基づいて、水または炭酸水を吐出するノズル５ｂ（換言すれば、容器置き場４ｂ）に対応する物理ボタン３ｂを特定する。そして、制御部２０は、物理ボタン３ｂの押下指示をタッチパネル２に表示させる（ステップＳ３）。
【００６８】
例えば、制御部２０は、物理ボタン３ｂを押下するように指示する押下指示の画像データを記憶部２１から読み出し、その画像をタッチパネル２に表示させる。
【００６９】
この押下指示の画像の表示例を図８に示す。図８は、水が選択された場合の押下指示画面の一例を示す図である。
【００７０】
図８に示すように、この押下指示画面では、水ボタン３２が中央に移動して拡大表示され、その下方にメッセージ３４および矢印３５が表示される。メッセージ３４は、利用者に物理ボタン３ｂを押下するように指示するメッセージである。また、矢印３５は、物理ボタン３ｂ、ノズル５ｂ、および、容器置き場４ｂの位置を示す矢印である。
【００７１】
このような矢印３５の表示により、利用者は、押下すべき物理ボタンが物理ボタン３ｂであることを容易に認識でき、かつ、その物理ボタン３ｂに対応する容器置き場４ｂの位置に飲料が供給されることを容易に認識できる。なお、炭酸水が選択された場合には、図８に示す水ボタン３２の代わりに、炭酸水ボタン３３が移動して拡大表示される。
【００７２】
また、図８に示した押下指示画面では、画面左上方に、戻りボタン３６、３７が表示されている。戻りボタン３６は、利用者がホーム画面に戻りたいときに押下するボタンである。また、戻りボタン３７は、利用者が１つ前の画面に戻りたいときに押下するボタンである。
【００７３】
戻りボタン３６、３７が押下された場合、制御部２０は、ホーム画面、または、１つ前の画面に表示画面を遷移させる。
【００７４】
その後、利用者が物理ボタン３ｂを押下すると、制御部２０は、物理ボタン３ｂが押下されている間、選択された飲料（ここでは、例えば水または炭酸水）をノズル５ｂから吐出させるとともに、選択された飲料が吐出中である旨をタッチパネル２に表示させる（ステップＳ４）。
【００７５】
例えば、制御部２０は、記憶部２１に記憶された吐出中画像の画像データを読み出し、その画像をタッチパネル２に表示させる。
【００７６】
上記画像を含む吐出中画面の表示例を図９に示す。図９は、水が選択された場合の吐出中画面の一例を示す図である。
【００７７】
図９に示すように、この吐出中画面では、水ボタン３２が中央に移動して拡大表示され、その下方にメッセージ３８および矢印３５が表示される。メッセージ３８は、利用者に飲料が吐出中である旨を報知するメッセージである。また、矢印３５は、前述の押下指示画面と同様に、物理ボタン３ｂ、ノズル５ｂ、容器置き場４ｂの位置を示すものである。
【００７８】
なお、炭酸水が選択された場合には、図９に示す水ボタン３２の代わりに、炭酸水ボタン３３が移動して拡大表示される。
【００７９】
そして、利用者が物理ボタン３ｂの押下を止めると、制御部２０は、ノズル５ｂからの飲料の吐出を停止させ、さらに飲料が吐出中である旨の表示を終了させる（ステップＳ５）。
【００８０】
この場合、制御部２０は、図９に示す吐出中画面の表示から、図８に示す押下指示画面の表示に遷移するようにタッチパネル２を制御する。ここで、制御部２０は、飲料の吐出終了から一定時間（例えば数秒）の間、その飲料の情報を保持するとともに、押下指示画面の表示を維持するようにタッチパネル２を制御して、利用者からの物理ボタン３ｂの再度の押下操作を待ち受ける。
【００８１】
そして、制御部２０は、利用者が物理ボタン３ｂの押下操作を再度行うと、保持していた情報に基づき、直前に吐出していた飲料と同じ飲料をノズル５ｂから吐出させる。
【００８２】
これにより、利用者は、上述した飲料の選択操作を再度行うことなく、飲料の継ぎ足しを容易に行うことができる。
【００８３】
そして、飲料の吐出終了から一定時間経過すると、制御部２０は、図８に示した押下指示画面の表示から、図７に示したホーム画面の表示に戻すようにタッチパネル２を制御する。
【００８４】
なお、上記説明では、物理ボタン３ｂが押下されている間だけ飲料が吐出されることとしたが、物理ボタン３ｂが一旦押下されると一定量の飲料が吐出されるようにしてもよい。そして、その吐出中に図９に示した吐出中画面が表示されるようにしてもよい。なお、これは、以下の各制御例についても同様である。
【００８５】
（制御例２）
次に、図１０〜図１７を用いて、図７に示したカテゴリ「全てのブランド」が選択される場合の制御例について説明する。図１０は、本制御例を示すフローチャートである。また、図１１〜図１７は、タッチパネル２の画面表示例を示す図である。
【００８６】
まず、制御部２０は、記憶部２１に記憶されたホーム画面の画像データを読み出し、ホーム画面をタッチパネル２に表示させる（ステップＳ１）。これにより、図７に示したホーム画面がタッチパネル２に表示される。
【００８７】
ここで、カテゴリ選択ボタン３０ａが利用者によって押下されたことにより、制御部２０が、カテゴリ「全てのブランド」を選択する操作を受け付けたとする（ステップＳ１２）。この場合、制御部２０は、全てのブランド選択ボタンをタッチパネル２に表示させる（ステップＳ１３）。
【００８８】
例えば、制御部２０は、全てのブランド選択ボタンを含むブランド選択画面の画像データを記憶部２１から読み出し、その画面をタッチパネル２に表示させる。
【００８９】
このブランド選択画面の表示例を図１１に示す。図１１に示すように、このブランド選択画面には、ブランド選択ボタン３９ａ〜３９ｊが表示される。ブランド選択ボタン３９ａ〜３９ｊは、利用者が飲料のブランドを選択する際に押下されるボタンである。また、ブランド選択ボタン３９ａ〜３９ｊは、それぞれ、図５に示したブランドＡ〜Ｊに対応している。
【００９０】
ここで、ブランド選択ボタン３９ａ〜３９ｊのいずれかが利用者により押下されたことにより、制御部２０が、ブランドを選択する操作を受け付けたとする（ステップＳ１４）。
【００９１】
この場合、制御部２０は、記憶部２１から読み出したテーブル２２に基づいて、選択されたブランドの飲料を供給するノズル（換言すれば、ユーザが容器を置くべき容器置き場）に対応する物理ボタンを特定する（ステップＳ１５）。
【００９２】
選択されたブランドが物理ボタン３ａに対応付けられている場合（ステップＳ１５：３ａ）、ステップＳ１８以降の処理が実行される。選択されたブランドが物理ボタン３ｃに対応付けられている場合（ステップＳ１５：３ｃ）、ステップＳ２１以降の処理が実行される。また、選択されたブランドが物理ボタン３ｂに対応付けられている場合（ステップＳ１５：３ｂ）、ステップＳ１６以降の処理が実行される。
【００９３】
まず、ステップＳ１６以降の処理について説明する。
【００９４】
まず、制御部２０は、選択されたブランドの飲料選択ボタンをタッチパネル２に表示させる（ステップＳ１６）。例えば、制御部２０は、記憶部２１に記憶された飲料選択画面の画像データを読み出し、その飲料選択画面をタッチパネル２に表示させる。
【００９５】
飲料選択画面の表示例を図１２に示す。図１２に示すように、飲料選択画面には、飲料選択ボタン４０ａ〜４０ｅが表示される。飲料選択ボタン４０ａ〜４０ｅは、利用者が飲料を選択する際に押下するボタンである。
【００９６】
ここで、飲料選択ボタン４０ａの押下により選択される飲料は、ブランドＡのシロップと、水および／または炭酸水とが混合された飲料である。
【００９７】
また、飲料選択ボタン４０ｂ〜４０ｅのいずれかの押下により選択される飲料は、ブランドＡのシロップ（メインシロップ）と、水および／または炭酸水と、フルーツ風味のシロップ（トッピングシロップ）とが混合された飲料（すなわち、フレーバ添加飲料）である。図１２の例では、フルーツ風味は、グレープ、オレンジ、ピーチ、レモンのいずれかとしている。
【００９８】
ここで、飲料選択ボタン４０ａ〜４０ｅのいずれかが押下されたことにより、制御部２０が、飲料を選択する操作を受け付けたとする（ステップＳ１７）。
【００９９】
この場合、制御部２０は、飲料が吐出されるノズル５ｂ（換言すれば、容器置き場４ｂ）に対応する物理ボタン３ｂの押下指示をタッチパネル２に表示させる（ステップＳ３）。例えば、制御部２０は、物理ボタン３ｂを押下するように指示する押下指示の画像データを記憶部２１から読み出し、その画像をタッチパネル２に表示させる。
【０１００】
この画像を含む押下指示の画像の表示例を図１３に示す。図１３は、ブランドＡのピーチ風味の飲料が選択された場合の押下指示画面の一例を示す図である。
【０１０１】
図１３に示すように、この押下指示画面では、飲料選択ボタン４０ｅが拡大表示され、その下方にメッセージ３４および矢印３５が表示される。メッセージ３４および矢印３５は、上記制御例１で説明したものと同様である。
【０１０２】
このような矢印３５の表示により、利用者は、押下すべき物理ボタンが物理ボタン３ｂであることを容易に認識でき、かつ、その物理ボタン３ｂに対応する容器置き場４ｂの位置に飲料が供給されることを容易に認識できる。
【０１０３】
なお、図１３に示した押下指示画面では、画面右下方に、トッピングシロップ増量ボタン４１が表示されている。トッピングシロップ増量ボタン４１は、利用者がフルーツ風味を増加したいときに押下するボタンである。
【０１０４】
このトッピングシロップ増量ボタン４１が押下されると、制御部２０は、選択されたフルーツ風味（図１３の例ではピーチ風味）のトッピングシロップを所定量増加して吐出させる。
【０１０５】
また、図１３に示した押下指示画面では、画面左下方に、栄養成分表示ボタン４２が表示されている。栄養成分表示ボタン４２は、利用者が選択した飲料の栄養成分表を見たいときに押下されるボタンである。
【０１０６】
栄養成分表示ボタン４２が利用者により押下されると、制御部２０は、選択された飲料の栄養成分表のデータを記憶部２１から読み出し、そのデータをタッチパネル２に表示させる。
【０１０７】
この表示例を図１４に示す。図１４に示すように、タッチパネル２には、選択された飲料の栄養成分表４３が表示される。また、利用者は、栄養成分表４３の表示を終了したい場合、表示終了ボタン４４を押下する。これにより、図１４に示した画面の表示から図１３に示した押下指示画面の表示に遷移する。
【０１０８】
その後、利用者が物理ボタン３ｂを押下すると、制御部２０は、物理ボタン３ｂが押下されている間、選択された飲料（ここでは、例えばブランドＡのピーチ風味飲料）をノズル５ｂから吐出させるとともに、選択された飲料が吐出中である旨をタッチパネル２に表示させる（ステップＳ４）。
【０１０９】
例えば、制御部２０は、記憶部２１に記憶された吐出中画像の画像データを読み出し、その画像をタッチパネル２に表示させる。
【０１１０】
吐出中の画像の表示例を図１５に示す。図１５は、ブランドＡのピーチ風味飲料が選択された場合の吐出中画面の一例を示す図である。
【０１１１】
図１５に示すように、この吐出中画面では、拡大表示された飲料選択ボタン４０ｄの下方に、メッセージ３８および矢印３５が表示される。メッセージ３８は、上記制御例１で説明したものと同様である。
【０１１２】
そして、利用者が物理ボタン３ｂの押下を止めると、制御部２０は、ノズル５ｂからの飲料の吐出を停止させ、さらに飲料が吐出中である旨の表示を終了させる（ステップＳ５）。
【０１１３】
この場合、制御部２０は、図１５に示す吐出中画面の表示から、図１３に示す押下指示画面の表示に遷移するようにタッチパネル２を制御する。ここで、制御部２０は、飲料の吐出終了から一定時間（例えば数秒）、その飲料の情報を保持するとともに、押下指示画面の表示を維持するようにタッチパネル２を制御して、利用者からの物理ボタン３ｂの再度の押下操作を待ち受ける。
【０１１４】
そして、制御部２０は、利用者が物理ボタン３ｂの押下操作を再度行うと、保持していた情報に基づき、直前に吐出していた飲料と同じ飲料をノズル５ｂから吐出させる。
【０１１５】
これにより、利用者は、上述した飲料の選択操作を再度行うことなく、飲料の継ぎ足しを容易に行うことができる。
【０１１６】
そして、飲料の吐出終了から一定時間経過すると、制御部２０は、図１３に示した押下指示画面の表示から、図７に示したホーム画面の表示に戻すようにタッチパネル２を制御する。
【０１１７】
次に、ステップＳ１８以降の処理について説明する。
【０１１８】
制御部２０は、希釈水ノズル５ａおよびシロップノズル５０（換言すれば、容器置き場４ａ）に対応する物理ボタン３ａの押下指示をタッチパネル２に表示させる（ステップＳ１８）。例えば、制御部２０は、物理ボタン３ａを押下するように指示する押下指示の画像データを記憶部２１から読み出し、その画像をタッチパネル２に表示させる。
【０１１９】
この画像を含む押下指示の画像の表示例を図１６に示す。図１６は、ブランドＤの飲料（ブランドＤのシロップと、水および／または炭酸水とが混合された飲料）が選択された場合の押下指示画面の一例を示す図である。
【０１２０】
図１６に示すように、この押下指示画面では、ブランド選択ボタン３９ｄが拡大表示され、その左下にメッセージ３４および矢印３５が表示される。メッセージ３４および矢印３５は、上記制御例１で説明したものと同様である。
【０１２１】
このような矢印３５の表示により、利用者は、押下すべき物理ボタンが物理ボタン３ａであることを容易に認識でき、かつ、その物理ボタン３ａに対応する容器置き場４ａの位置に飲料が供給されることを容易に認識できる。
【０１２２】
物理ボタン３ａが押下された後に行われるステップＳ１９、Ｓ２０の処理は、上述したステップＳ４、Ｓ５の処理と同様であるので、以下では簡単に説明する。
【０１２３】
まず、物理ボタン３ａが押下されている間、希釈水ノズル５ａから希釈水が吐出され、シロップノズル５０からブランドＤのシロップが吐出され、かつ、タッチパネル２に吐出中画面が表示される（ステップＳ１９）。この吐出中画面は、図示は省略するが、図１６の押下指示画面において、メッセージ３４の代わりにメッセージ３８（図９、図１５参照）が表示されたものである。
【０１２４】
そして、利用者が物理ボタン３ａの押下を止めると、希釈水とシロップの吐出が停止され、さらに上記吐出中画面の表示が、図１６に示した押下指示画面の表示へと遷移する（ステップＳ２０）。
【０１２５】
そして、図１６に示した押下指示画面の表示が、希釈水とシロップの吐出終了から一定時間維持された後、この押下指示画面の表示が、図７に示したホーム画面の表示へと遷移する。
【０１２６】
次に、ステップＳ２１以降の処理について説明する。
【０１２７】
制御部２０は、希釈水ノズル５ｃ、シロップノズル５１、および炭酸水ノズル５２（換言すれば、容器置き場４ｃ）に対応する物理ボタン３ｃの押下指示をタッチパネル２に表示させる（ステップＳ２１）。例えば、制御部２０は、物理ボタン３ｃを押下するように指示する押下指示の画像データを記憶部２１から読み出し、その画像をタッチパネル２に表示させる。
【０１２８】
この画像を含む押下指示画面の表示例を図１７に示す。図１７は、ブランドＧの飲料（ブランドＧのシロップと、水および／または炭酸水とが混合された飲料）が選択された場合の押下指示画面の一例を示す図である。
【０１２９】
この押下指示画面では、図１７Ａに示すように、ブランド選択ボタン３９ｇ、３９ｈが表示される。そして、ブランド選択ボタン３９ｇ、３９ｈのどちらか一方が選択されると、選択された方のブランド選択ボタンが拡大表示され、その右下にメッセージ３４および矢印３５が表示される。例えば、ブランド選択ボタン３９ｇが押下された場合には、図１７Ｂに示すようにブランド選択ボタン３９ｇが拡大表示され、水とブランドＧのシロップとが混合された飲料が供給される。また、例えば、ブランド選択ボタン３９ｈが押下された場合には、図１７Ｃに示すようにブランド選択ボタン３９ｈが拡大表示され、炭酸水とブランドＧのシロップとが混合された飲料が供給される。メッセージ３４および矢印３５は、上記制御例１で説明したものと同様である。
【０１３０】
このような矢印３５の表示により、利用者は、押下すべき物理ボタンが物理ボタン３ｃであることを容易に認識でき、かつ、その物理ボタン３ｃに対応する容器置き場４ｃの位置に飲料が供給されることを容易に認識できる。
【０１３１】
物理ボタン３ｃが押下された後に行われるステップＳ２２、Ｓ２３の処理は、上述したステップＳ４、Ｓ５の処理と同様であるので、以下では簡単に説明する。
【０１３２】
まず、物理ボタン３ｃが押下されている間、ブランドＧのシロップがシロップノズル５１から吐出され、希釈水および／または炭酸水が希釈水ノズル５ｃおよび／または炭酸水ノズル５２から吐出され、かつ、タッチパネル２に吐出中画面が表示される（ステップＳ２２）。この吐出中画面は、図示は省略するが、図１７の押下指示画面において、メッセージ３４の代わりにメッセージ３８（図９、図１５参照）が表示されたものである。
【０１３３】
そして、利用者が物理ボタン３ｃの押下を止めると、希釈水および／または炭酸水とシロップの吐出が停止され、さらに上記吐出中画面の表示が、図１７に示した押下指示画面の表示へと遷移する（ステップＳ２３）。
【０１３４】
そして、図１７に示した押下指示画面の表示が、希釈水および／または炭酸水とシロップの吐出終了から一定時間維持された後、この押下指示画面の表示が、図７に示したホーム画面の表示へと遷移する。
【０１３５】
（制御例３）
次に、図１８〜図２０を用いて、図７に示したカテゴリ「フルーツ風味」が選択される場合の制御例について説明する。図１８は、本制御例を示すフローチャートである。また、図１９、図２０は、タッチパネル２の画面表示例を示す図である。
【０１３６】
まず、制御部２０は、記憶部２１に記憶されたホーム画面の画像データを読み出し、ホーム画面をタッチパネル２に表示させる（ステップＳ１）。これにより、図７に示したホーム画面がタッチパネル２に表示される。
【０１３７】
ここで、カテゴリ選択ボタン３０ｂが利用者によって押下されたことにより、制御部２０が、カテゴリ「フルーツ風味」を選択する操作を受け付けたとする（ステップＳ３２）。
【０１３８】
この場合、制御部２０は、全てのフルーツ風味選択ボタンをタッチパネル２に表示させる（ステップＳ３３）。
【０１３９】
例えば、制御部２０は、全てのフルーツ風味選択ボタンを含むフルーツ風味選択画面の画像データを記憶部２１から読み出し、その画面をタッチパネル２に表示するように制御する。
【０１４０】
このフルーツ風味選択画面の表示例を図１９に示す。図１９に示すように、このフルーツ風味選択画面には、フルーツ風味選択ボタン４５ａ〜４５ｅが表示される。フルーツ風味選択ボタン４５ａ〜４５ｅは、利用者がトッピングシロップのフルーツ風味を選択する際に押下されるボタンである。
【０１４１】
図１９の例では、フルーツ風味選択ボタン４５ａ〜４５ｅの押下により選択されるフルーツ風味は、それぞれ、オレンジ、グレープ、ウメ、ピーチ、レモンである。
【０１４２】
なお、本実施の形態では、フルーツ風味選択画面で選択されるフルーツ風味のシロップが、トッピングシロップとして用いられる場合について説明するが、メインシロップとして用いられてもよい。この場合、選択されたフルーツ風味のシロップと、水および／または炭酸水とが混合された飲料がノズル５ｂから吐出される。
【０１４３】
ここで、フルーツ風味選択ボタン４５ａ〜４５ｅのいずれかが利用者により押下されたことにより、制御部２０が、フルーツ風味を選択する操作を受け付けたとする（ステップＳ３４）。
【０１４４】
この場合、制御部２０は、選択されたフルーツ風味の飲料選択ボタンをタッチパネル２に表示させる（ステップＳ３５）。例えば、制御部２０は、選択されたフルーツ風味の飲料選択ボタンを含む飲料選択画面の画像データを記憶部２１から読み出し、その画面をタッチパネル２に表示させる。
【０１４５】
この飲料選択画面の表示例を図２０に示す。図２０は、フルーツ風味としてオレンジが選択された場合の飲料選択画面の一例を示す図である。図２０に示すように、この飲料選択画面では、飲料選択ボタン４６ａ〜４６ｅが表示される。
【０１４６】
飲料選択ボタン４６ａ〜４６ｅは、利用者が飲料を選択する際に押下するボタンである。飲料選択ボタン４６ａ〜４６ｅのいずれかの押下により選択される飲料は、ブランドＡ〜Ｃ、Ｅ、Ｆのいずれかのシロップ（メインシロップ）と、水および／または炭酸水と、図１９のフルーツ風味選択画面において選択されたオレンジのシロップ（トッピングシロップ）とが混合された飲料（フレーバ添加飲料）である。
【０１４７】
ここで、飲料選択ボタン４６ａ〜４６ｅのいずれかが利用者により押下されたことにより、制御部２０が、飲料を選択する操作を受け付けたとする（ステップＳ３６）。
【０１４８】
この場合、制御部２０は、記憶部２１から読み出したテーブル２２に基づいて、選択された飲料を吐出するノズルに対応する物理ボタンを特定する（ステップＳ１５）。
【０１４９】
選択された飲料が物理ボタン３ａに対応付けられている場合（ステップＳ１５：３ａ）、ステップＳ１８以降の処理が実行される。選択された飲料が物理ボタン３ｃに対応付けられている場合（ステップＳ１５：３ｃ）、ステップＳ２１以降の処理が実行される。また、選択されたブランドが物理ボタン３ｂに対応付けられている場合（ステップＳ１５：３ｂ）、ステップＳ３以降の処理が実行される。
【０１５０】
図１８のステップＳ１８〜２０およびステップＳ２１〜２３の処理は、それぞれ、上記制御例２で説明した図１０のステップＳ１８〜２０およびステップＳ２１〜２３の処理と同じであるので、ここでの説明は省略する。また、図１８のステップＳ３〜Ｓ５の処理も、基本的には上記制御例２で説明したステップＳ３〜５の処理と同じであるので、以下ではこれらの処理について簡単に説明する。
【０１５１】
まず、制御部２０は、飲料が吐出されるノズル５ｂ（換言すれば、容器置き場４ｂ）に対応する物理ボタン３ｂの押下指示をタッチパネル２に表示させる（ステップＳ３）。
【０１５２】
ここで、図２０に示した飲料選択画面で選択された飲料がブランドＥのオレンジ風味飲料である場合について説明する。この場合、図示は省略するが、上述した図１３の押下指示画面とほぼ同様の押下指示画面が表示される。
【０１５３】
すなわち、この押下指示画面には、図１３に示した押下指示画面において表示された飲料選択ボタン４０ａ〜４０ｅの代わりに飲料選択ボタン４６ａ〜４６ｅが表示されるとともに、飲料選択ボタン４６ｄが拡大表示される。
【０１５４】
この場合も同様に、押下指示画面に矢印３５を表示することにより、利用者は、押下すべき物理ボタンが物理ボタン３ｂであることを容易に認識でき、かつ、その物理ボタン３ｂに対応する容器置き場４ｂの位置に飲料が供給されることを容易に認識できる。
【０１５５】
その後、利用者が物理ボタン３ｂを押下すると、物理ボタン３ｂが押下されている間、ブランドＥのオレンジ風味飲料がノズル５ｂから吐出されるとともに、タッチパネル２に吐出中画面が表示される（ステップＳ４）。
【０１５６】
この吐出中画面は、図示は省略するが、図１５に示した吐出中画面とほぼ同様の画面である。すなわち、この吐出中画面には、図１５に示した吐出中画面において表示された飲料選択ボタン４０ａ〜４０ｅの代わりに飲料選択ボタン４６ａ〜４６ｅが表示されるとともに、飲料選択ボタン４６ｄが拡大表示される。
【０１５７】
そして、利用者が物理ボタン３ｂの押下を止めると、飲料の吐出が停止され、さらに上記吐出中画面の表示が、上記押下指示画面の表示へ遷移する（ステップＳ２０）。
【０１５８】
そして、上記押下指示画面の表示が、飲料の吐出終了から一定時間維持された後、この押下指示画面の表示が、図７に示したホーム画面の表示へと遷移する。
【０１５９】
（制御例４）
次に、図２１、図２２を用いて、図７に示したカテゴリ「おすすめメニュー」が選択される場合の制御例について説明する。図２１は、本制御例を示すフローチャートである。また、図２２は、タッチパネル２の画面表示例を示す図である。
【０１６０】
まず、制御部２０は、記憶部２１に記憶されたホーム画面の画像データを読み出し、ホーム画面をタッチパネル２に表示させる（ステップＳ１）。これにより、図７に示したホーム画面がタッチパネル２に表示される。
【０１６１】
ここで、カテゴリ選択ボタン３０ｃが利用者によって押下されたことにより、制御部２０が、カテゴリ「おすすめメニュー」を選択する操作を受け付けたとする（ステップＳ４２）。
【０１６２】
この場合、制御部２０は、おすすめの飲料を選択するための飲料選択ボタンをタッチパネル２に表示させる（ステップＳ４３）。例えば、制御部２０は、飲料選択ボタンを含む飲料選択画面の画像データを記憶部２１から読み出し、その画面をタッチパネル２に表示させる。
【０１６３】
この飲料選択画面の表示例を図２２に示す。図２２に示すように、この飲料選択画面には、飲料選択ボタン４７ａ〜４７ｅが表示される。飲料選択ボタン４７ａ〜４７ｅは、おすすめの飲料を利用者に提示するとともに、利用者が所望の飲料を選択する際に押下されるボタンである。おすすめの飲料は、予め定められているとする。
【０１６４】
ここで、飲料選択ボタン４７ａ〜４７ｅのいずれかが利用者により押下されたことにより、制御部２０が、飲料を選択する操作を受け付けたとする（ステップＳ４４）。
【０１６５】
ステップＳ１５以降の処理は上記制御例２と同様であるのでここでの説明は省略するが、ステップＳ３、Ｓ４の処理で表示される画面例についてのみ、以下で簡単に説明する。以下では、例として、図２２に示した飲料選択画面で選択された飲料が、ブランドＥのピーチ風味飲料である場合について説明する。
【０１６６】
この場合、ステップＳ３の処理では、図示は省略するが、図１３に示した押下指示画面とほぼ同様の押下指示画面がタッチパネル２に表示される。すなわち、この押下指示画面には、図１３に示した押下指示画面において表示された飲料選択ボタン４０ａ〜４０ｅの代わりに飲料選択ボタン４７ａ〜４７ｅが表示されるとともに、飲料選択ボタン４７ｄが拡大表示される。
【０１６７】
このような矢印３５の表示により、利用者は、押下すべき物理ボタンが物理ボタン３ｂであることを容易に認識でき、かつ、その物理ボタン３ｂに対応する容器置き場４ｂの位置に飲料が供給されることを容易に認識できる。
【０１６８】
また、ステップＳ４の処理では、図示は省略するが、図１５に示した吐出中画面とほぼ同様の吐出中画面がタッチパネル２に表示される。すなわち、この吐出中画面には、図１５に示した吐出中画面において表示された飲料選択ボタン４０ａ〜４０ｅの代わりに飲料選択ボタン４７ａ〜４７ｅが表示されるとともに、飲料選択ボタン４７ｄが拡大表示される。
【０１６９】
なお、本制御例では、図７に示したホーム画面に表示されたカテゴリ「おすすめメニュー」を介して飲料が選択される場合としたが、ホーム画面に表示されたカテゴリ「ランキングベスト５」を介して飲料が選択される場合も同様の処理が行われる。この場合、予め定められたランキングベスト５（例えば、売り上げ高が１位〜５位）の飲料が図２２に示した飲料選択画面に表示される。
【０１７０】
以上のように、本実施の形態によれば、タッチパネル２で選択された飲料が吐出されるノズルに対応する物理ボタンを利用者に報知することにより、タッチパネル２に表示される飲料の選択画面がどのようなものであっても、利用者に、押下すべき物理ボタン、飲料が吐出されるノズル、そのノズルに対応した容器置き場を容易に認識させることができる。
【０１７１】
以上、本発明の実施の形態について説明したが、本発明は上記実施の形態に限定されず、種々の変形が可能である。
【０１７２】
例えば、上記実施の形態では、タッチパネル２において矢印３５を表示することにより押下すべき物理ボタンの位置を報知することとしたが、タッチパネル２における矢印３５の表示の代わりに、制御部２０が、押下すべき物理ボタン３ａ〜３ｃを制御して、押下すべき物理ボタン３ａ〜３ｃを利用者に報知させることとしてもよい。
【０１７３】
具体的には、制御部２０は、押下すべき物理ボタン３ａ〜３ｃを点灯または点滅させることにより、利用者に報知させることとしてもよい。
【０１７４】
また、制御部２０は、タッチパネル２に矢印３５を表示させるとともに、押下すべき物理ボタン３ａ〜３ｃを点灯または点滅させるようにしてもよい。
【０１７５】
このような処理によっても、タッチパネル２に矢印３５を表示させる場合と同様に、タッチパネル２に表示される飲料の選択画面がどのようなものであっても、利用者に、押下すべき物理ボタン、飲料が吐出されるノズル、そのノズルに対応した容器置き場を容易に認識させることができる。
【産業上の利用可能性】
【０１７６】
本発明は、飲料を供給する飲料供給装置に有用である。
【符号の説明】
【０１７７】
１  前面扉
２  タッチパネル
３ａ、３ｂ、３ｃ  物理ボタン
４ａ、４ｂ、４ｃ  容器置き場
５ａ、５ｃ  希釈水ノズル
５ｂ  ノズル
６、７  バックインボックス
８  浄化フィルタ
９  炭酸ガスボンベ
１０  シロップタンク
１１、１２、１４、１５、１６  ブレードチューブ
１３  ガスレギュレータ
２０  制御部
２１  記憶部
２２  テーブル
２３  水電磁弁
２４  炭酸水電磁弁
２５  シロップ電磁弁
２６、２７  ＢＩＢ用チューブポンプ
３０ａ〜３０ｄ  カテゴリ選択ボタン
３１  ヘルプボタン
３２  水ボタン
３３  炭酸水ボタン
３４、３８  メッセージ
３５  矢印
３６、３７  戻りボタン
３９ａ〜３９ｊ  ブランド選択ボタン
４０ａ〜４０ｅ、４６ａ〜４６ｅ、４７ａ〜４７ｅ  飲料選択ボタン
４１  トッピングシロップ増量ボタン
４２  栄養成分表示ボタン
４３  栄養成分表
４４  表示終了ボタン
４５ａ〜４５ｅ  フルーツ風味選択ボタン
５０、５１  シロップノズル
５２  炭酸水ノズル
１００  飲料供給装置
【図１】
0006526958.tif 000002
【図２】
0006526958.tif 000003
【図３】
0006526958.tif 000004
【図４】
0006526958.tif 000005
【図５】
0006526958.tif 000006
【図６】
0006526958.tif 000007
【図７】
0006526958.tif 000008
【図８】
0006526958.tif 000009
【図９】
0006526958.tif 000010
【図１０】
0006526958.tif 000011
【図１１】
0006526958.tif 000012
【図１２】
0006526958.tif 000013
【図１３】
0006526958.tif 000014
【図１４】
0006526958.tif 000015
【図１５】
0006526958.tif 000016
【図１６】
0006526958.tif 000017
【図１７】
0006526958.tif 000018
【図１８】
0006526958.tif 000019
【図１９】
0006526958.tif 000020
【図２０】
0006526958.tif 000021
【図２１】
0006526958.tif 000022
【図２２】
0006526958.tif 000023